(57)【要約】【課題】  機能スイッチが複数配列される発射ハンドルにおいて、操作性を向上させ、また各種機能スイッチの誤操作を防止する等の発射ハンドル及びそれを備えるパチンコ遊技機を提供する。【解決手段】  パチンコ遊技機１の前面に設けられる発射ハンドル３０に、遊技操作を行うための複数の機能スイッチ３１１、３１２と、各機能スイッチに隣接して当該機能スイッチによる遊技操作の有効又は無効を報知する報知ランプ３１１ａ、３１２ａをそれぞれ備える。これにより、使用可能な機能スイッチを遊技者に随時認識させ遊技操作に係る利便性を向上させると共に、機能スイッチの誤操作を防止する。【選択図】  図３
2005296446.tif 000002
【特許請求の範囲】
【請求項１】
パチンコ遊技機の前面に設けられ回動操作されるに応じて前記パチンコ遊技機の遊技盤面へ遊技球を打ち出すための発射ハンドルであって、
前記パチンコ遊技機の遊技に係る操作をそれぞれ行う複数の機能スイッチと、
前記各機能スイッチに隣接し当該機能スイッチによる遊技操作の有効又は無効を前記パチンコ遊技機の遊技進行の状況に応じて報知する報知ランプをそれぞれ備えることを特徴とする発射ハンドル。
【請求項２】
前記パチンコ遊技機の本体へ固着される支持部材と、
前記支持部材とほぼ同径であって当該支持部材に対して回動可能に取り付けられる円筒形状の回動操作部材と、
前記回動操作部材内を貫通して前記支持部材と接続し当該回動操作部の前面を覆う蓋部材とを備え、
前記複数の機能スイッチと前記各報知ランプは、前記支持部材の外周面に配列されていることを特徴とする請求項１に記載の発射ハンドル。
【請求項３】
前記パチンコ遊技機の本体へ固着される支持部材と、
前記支持部材とほぼ同径であって当該支持部材に対して回動可能に取り付けられる円筒形状の回動操作部材と、
前記回動操作部材内を貫通して前記支持部材と接続し当該回動操作部の前面を覆う蓋部材とを備え、
前記複数の機能スイッチと前記各報知ランプは、前記蓋部材の表面に配列されていることを特徴とする請求項１に記載の発射ハンドル。
【請求項４】
前記各機能スイッチに隣接して当該機能スイッチによる遊技操作の内容を表記する機能標識部を備えることを特徴とする請求項１〜３の何れか１項に記載の発射ハンドル。
【請求項５】
前記パチンコ遊技機の遊技進行の状況に応じて前記各機能スイッチによる遊技操作を有効又は無効にするスイッチ機能制御手段を備えることを特徴とする請求項１〜４の何れか１項に記載の発射ハンドル。
【請求項６】
遊技球を遊技盤面へ打ち出す操作を行う発射ハンドルを備えるパチンコ遊技機であって、
前記発射ハンドルは、当該パチンコ遊技機の遊技に係る操作をそれぞれ行う複数の機能スイッチと、
前記各機能スイッチに隣接し当該機能スイッチによる遊技操作の有効又は無効を当該パチンコ遊技機の遊技進行の状況に応じて報知する報知ランプをそれぞれ備えることを特徴とするパチンコ遊技機。
【請求項７】
前記発射ハンドルは、当該パチンコ遊技機の本体へ固着される支持部材と、
前記支持部材とほぼ同径であって当該支持部材に対して回動可能に取り付けられる円筒形状の回動操作部材と、
前記回動操作部材内を貫通して前記支持部材と接続し当該回動操作部の前面を覆う蓋部材とを備え、
前記複数の機能スイッチと前記各報知ランプは、前記支持部材の外周面に配列されていることを特徴とする請求項６に記載のパチンコ遊技機。
【請求項８】
前記発射ハンドルは、当該パチンコ遊技機の本体へ固着される支持部材と、
前記支持部材とほぼ同径であって当該支持部材に対して回動可能に取り付けられる円筒形状の回動操作部材と、
前記回動操作部材内を貫通して前記支持部材と接続し当該回動操作部の前面を覆う蓋部材とを備え、
前記複数の機能スイッチと前記各報知ランプは、前記蓋部材の表面に配列されていることを特徴とする請求項６に記載のパチンコ遊技機。
【請求項９】
前記各機能スイッチに隣接して当該機能スイッチによる遊技操作の内容を表記する機能標識部を備えることを特徴とする請求項６〜８の何れか１項に記載のパチンコ遊技機。
【請求項１０】
当該パチンコ遊技機の遊技進行の状況に応じて前記各機能スイッチによる遊技操作を有効又は無効にするスイッチ機能制御手段を備えることを特徴とする請求項６〜９の何れか１項に記載のパチンコ遊技機。
【発明の詳細な説明】
【技術分野】
【０００１】
本発明は、回動操作されるに応じてパチンコ遊技機の遊技盤面へ遊技球を打ち出すための発射ハンドル、及びそれを備えるパチンコ遊技機に関し、特に、遊技操作に係る機能スイッチを発射ハンドルに設けることで操作性を高めたパチンコ遊技機に関する。
【背景技術】
【０００２】
従来、パチンコ遊技機（以下、単に「パチンコ機」という。）においては、遊技操作を行うための発射ハンドルが設けられている。パチンコ機は、遊技者によって発射ハンドルが回動操作されると、その回動角度に応じた打撃力で遊技球を遊技盤面へ打ち出しパチンコ遊技を行うように構成されている。発射ハンドルには、上述した遊技球を打撃発射させる操作機能の他に、例えば単発スイッチと呼ばれる遊技球の連続発射を停止させるためのスイッチが固定部材の外周位置に設けられている。
【０００３】
一方、パチンコ機には、例えば隣接して設けられるＣＲ玉貸装置から遊技球を借りるための球貸しスイッチや、ＣＲ玉貸装置に挿入したＣＲカードを排出させるための返却スイッチ、また、演出図柄の表示による演出時間を短縮させるための図柄短縮スイッチ等、遊技に係る操作を行うための各種機能スイッチ類が前面の適宜の位置に配置されている。
【０００４】
しかし、これら各種スイッチ類は、パチンコ機前面の種々の位置に散在しており、遊技者が発射ハンドルを操作しながらこれらスイッチ類を操作することは煩雑であることから、上記各種機能スイッチを集合させて配置した発射ハンドルが提案されている（例えば、特許文献１参照）。
【０００５】
【特許文献１】特開平９−６６１３２号公報
【発明の開示】
【発明が解決しようとする課題】
【０００６】
しかし、上記従来の発射ハンドルは、複数の機能スイッチが配列され操作性の向上が図られてはいるものの、遊技者が所望しない別のスイッチを操作してしまうという誤操作を招きやすかった。
【０００７】
また、かかる誤操作が頻発すると遊技の興趣が損なわれるという問題もある。例えば、賞球が多く払い出されている大当たり最中に遊技者が上記返却スイッチを操作するつもりで誤って球貸しスイッチを操作してしまうと、一時に多量の遊技球が払い出され、遊技を混乱させてしまうおそれがあった。
【０００８】
本発明は、こうした従来の問題に鑑みてなされたものであり、機能スイッチが複数配列される発射ハンドルにおいて、操作性を向上させ、また各種スイッチの誤操作を可及的に防止する等の発射ハンドル、及びそれを備えるパチンコ遊技機を提供することを目的としている。
【課題を解決するための手段】
【０００９】
上述した課題を解決するため、請求項１に記載の発明は、パチンコ遊技機の前面に設けられ回動操作されるに応じて前記パチンコ遊技機の遊技盤面へ遊技球を打ち出すための発射ハンドルであって、前記パチンコ遊技機の遊技に係る操作をそれぞれ行う複数の機能スイッチと、前記各機能スイッチに隣接し当該機能スイッチによる遊技操作の有効又は無効を前記パチンコ遊技機の遊技進行の状況に応じて報知する報知ランプをそれぞれ備えることを特徴とする。
【００１０】
請求項２に記載の発明は、請求項１に記載の発射ハンドルであって、前記パチンコ遊技機の本体へ固着される支持部材と、前記支持部材とほぼ同径であって当該支持部材に対して回動可能に取り付けられる円筒形状の回動操作部材と、前記回動操作部材内を貫通して前記支持部材と接続し当該回動操作部の前面を覆う蓋部材とを備え、前記複数の機能スイッチと前記各報知ランプは、前記支持部材の外周面に配列されていることを特徴とする。
【００１１】
請求項３に記載の発明は、請求項１に記載の発射ハンドルであって、前記パチンコ遊技機の本体へ固着される支持部材と、前記支持部材とほぼ同径であって当該支持部材に対して回動可能に取り付けられる円筒形状の回動操作部材と、前記回動操作部材内を貫通して前記支持部材と接続し当該回動操作部の前面を覆う蓋部材とを備え、前記複数の機能スイッチと前記各報知ランプは、前記蓋部材の表面に配列されていることを特徴とする。
【００１２】
請求項４に記載の発明は、請求項１〜３の何れか１項に記載の発射ハンドルであって、前記各機能スイッチに隣接して当該機能スイッチによる遊技操作の内容を表記する機能標識部を備えることを特徴とする。
【００１３】
請求項５に記載の発明は、請求項１〜４の何れか１項に記載の発射ハンドルであって、前記パチンコ遊技機の遊技進行の状況に応じて前記各機能スイッチによる遊技操作を有効又は無効にするスイッチ機能制御手段を備えることを特徴とする。
【００１４】
請求項６に記載の発明は、遊技球を遊技盤面へ打ち出す操作を行う発射ハンドルを備えるパチンコ遊技機であって、前記発射ハンドルは、当該パチンコ遊技機の遊技に係る操作をそれぞれ行う複数の機能スイッチと、前記各機能スイッチに隣接し当該機能スイッチによる遊技操作の有効又は無効を当該パチンコ遊技機の遊技進行の状況に応じて報知する報知ランプをそれぞれ備えることを特徴とする。
【００１５】
請求項７に記載の発明は、請求項６に記載のパチンコ遊技機であって、前記発射ハンドルは、当該パチンコ遊技機の本体へ固着される支持部材と、前記支持部材とほぼ同径であって当該支持部材に対して回動可能に取り付けられる円筒形状の回動操作部材と、前記回動操作部材内を貫通して前記支持部材と接続し当該回動操作部の前面を覆う蓋部材とを備え、前記複数の機能スイッチと前記各報知ランプは、前記支持部材の外周面に配列されていることを特徴とする。
【００１６】
請求項８に記載の発明は、請求項６に記載のパチンコ遊技機であって、前記発射ハンドルは、当該パチンコ遊技機の本体へ固着される支持部材と、前記支持部材とほぼ同径であって当該支持部材に対して回動可能に取り付けられる円筒形状の回動操作部材と、前記回動操作部材内を貫通して前記支持部材と接続し当該回動操作部の前面を覆う蓋部材とを備え、前記複数の機能スイッチと前記各報知ランプは、前記蓋部材の表面に配列されていることを特徴とする。
【００１７】
請求項９に記載の発明は、請求項６〜８の何れか１項に記載のパチンコ遊技機であって、前記各機能スイッチに隣接して当該機能スイッチによる遊技操作の内容を表記する機能標識部を備えることを特徴とする。
【００１８】
請求項１０に記載の発明は、請求項６〜９の何れか１項に記載のパチンコ遊技機であって、当該パチンコ遊技機の遊技進行の状況に応じて前記各機能スイッチによる遊技操作を有効又は無効にするスイッチ機能制御手段を備えることを特徴とする。
【００１９】
請求項１に記載の発射ハンドルによれば、パチンコ遊技機の遊技に係る操作を行う複数の機能スイッチとこれに隣接する報知ランプとをそれぞれ設け、報知ランプは、当該パチンコ遊技機の遊技状況に応じて、隣接する機能スイッチによる遊技操作が有効か又は無効かを報知する。これにより、使用可能な機能スイッチを遊技者に随時認識させ遊技操作に係る利便性を向上させると共に、機能スイッチの誤操作を効率的に防止する。
【００２０】
請求項２に記載の発射ハンドルによれば、回動操作部材が回動可能に取り付けられる支持部材の外周面に上記複数の機能スイッチと各報知ランプが配列される。これにより、遊技者は、発射ハンドルの回動操作部材を回動操作し遊技球を打ち出しながら各種機能スイッチを操作することができる。このため、パチンコ遊技機における操作性が向上する。
【００２１】
請求項３に記載の発射ハンドルによれば、回動操作部の前面を覆う蓋部材の表面に上記複数の機能スイッチと各報知ランプが配列される。これにより、遊技者は、発射ハンドルの回動操作部材を回動操作し遊技球を打ち出しながら各種機能スイッチを操作することができる。このため、パチンコ遊技機における操作性が向上する。また、発射ハンドルの前面に各機能スイッチの有効又は無効を報知する報知ランプを設けたので、使用可能な機能スイッチを遊技者に容易に認識させ、誤操作を効率的に防止する。
【００２２】
請求項４に記載の発射ハンドルによれば、機能標識部が例えば文字により機能スイッチの遊技操作の内容を表記する。これにより、各機能スイッチの機能を遊技者に容易に認識させることができ、機能スイッチの誤操作を効率的に防止する。
【００２３】
請求項５に記載の発射ハンドルによれば、スイッチ機能制御手段は、パチンコ遊技機の遊技状況に応じて、各機能スイッチによる遊技操作を有効又は無効にする。これにより、仮に遊技者が遊技の進行とは矛盾する機能スイッチを誤操作したとしても、係る機能スイッチによる操作が無効となる。このため、機能スイッチの誤操作によって遊技進行の混乱を招くことはなく、遊技の興趣が保持される。
【００２４】
請求項６に記載のパチンコ遊技機によれば、遊技に係る操作を行う複数の機能スイッチとこれに隣接する報知ランプとを発射ハンドルに設け、報知ランプは、当該パチンコ遊技機の遊技状況に応じて、隣接する機能スイッチによる遊技操作が有効か又は無効かを報知する。これにより、使用可能な機能スイッチを遊技者に随時認識させ遊技操作に係る利便性を向上させると共に、機能スイッチの誤操作を効率的に防止する。
【００２５】
請求項７に記載のパチンコ遊技機によれば、発射ハンドルの回動操作部材が回動可能に取り付けられる支持部材の外周面に上記複数の機能スイッチと各報知ランプが配列される。これにより、遊技者は、発射ハンドルの回動操作部材を回動操作し遊技球を打ち出しながら各種機能スイッチを操作することができる。このため、パチンコ遊技機における操作性が向上する。
【００２６】
請求項８に記載のパチンコ遊技機によれば、発射ハンドルの回動操作部の前面を覆う蓋部材の表面に上記複数の機能スイッチと各報知ランプが配列される。これにより、遊技者は、発射ハンドルの回動操作部材を回動操作し遊技球を打ち出しながら各種機能スイッチを操作することができる。このため、パチンコ遊技機における操作性が向上する。また、発射ハンドルの前面に各機能スイッチの有効又は無効を報知する報知ランプを設けたので、遊技の進行状況に応じて使用可能な機能スイッチを遊技者に容易に認識させ遊技操作に係る利便性を向上させると共に、機能スイッチの誤操作を効率的に防止する。
【００２７】
請求項９に記載のパチンコ遊技機によれば、発射ハンドルの機能標識部が例えば文字により機能スイッチの遊技操作の内容を表記する。これにより、各機能スイッチの機能を遊技者に容易に認識させることができ、機能スイッチの誤操作を効率的に防止する。
【００２８】
請求項１０に記載のパチンコ遊技機によれば、スイッチ機能制御手段は、当該パチンコ遊技機の遊技状況に応じて、各機能スイッチによる遊技操作を有効又は無効にする。これにより、仮に遊技者が遊技の進行とは矛盾する機能スイッチを誤操作したとしても、係る機能スイッチによる操作が無効となる。このため、機能スイッチの誤操作によって遊技進行の混乱を招くことはなく、遊技の興趣が保持される。
【発明の効果】
【００２９】
上述したように、本発明の発射ハンドル及びパチンコ遊技機によれば、遊技球を遊技盤面へ打ち出す発射ハンドルに各種機能スイッチを設けたので、遊技者は発射ハンドルを操作しながら所望の遊技操作を行うことができる。このため、パチンコ遊技機における遊技の操作性が向上する。
【００３０】
また、パチンコ遊技機の遊技状況に応じて各機能スイッチに隣接する報知ランプが、当該機能スイッチよる遊技操作が有効か又は無効かを報知する。すなわち、使用可能な機能スイッチを遊技者に随時認識させ遊技操作に係る利便性を向上させると共に、機能スイッチの誤操作を効率的に防止する。
【００３１】
また、パチンコ遊技機の遊技状況に応じてスイッチ機能制御手段が各機能スイッチによる遊技操作を有効又は無効にする。これにより、仮に遊技者が遊技の進行とは矛盾する機能スイッチを誤操作したとしても、係る機能スイッチによる操作が無効となる。このため、機能スイッチの誤操作によって遊技進行の混乱を招くことはなく、遊技の興趣が保持される。
【発明を実施するための最良の形態】
【００３２】
以下、本発明による好適な一実施形態として、発射ハンドルを備えるパチンコ機について図面を参照しながら説明する。なお、図１（ａ）は本パチンコ機１の外部構造を表す正面図、図１（ｂ）はその側面図、図２は本パチンコ機１の構造を表す背面図である。
【００３３】
本パチンコ機１は、発射ハンドル３０の回動操作に応じて球発射装置５５が作動し、遊技球を遊技盤面部１６に打ち出しながら遊技を行うもので、いわゆる確率変動等の大当たりが発生した状態でアタッカー１９（開閉式の大入賞口）に遊技球が入球することにより、その入賞に対応する数の遊技球を皿ユニット２０へ払い出すように構成されている。上記確率変動（確変当たり）とは、遊技盤面部１６上の始動チャッカー１８への入球の際に行われる抽選の結果、確変モードの大当たりが当選したとき、少なくとも当該確変モードによる遊技状態において次の大当たりを引くまでの間、遊技者に有利な付加価値を付与する特別な遊技状態を意味する。これに対し、当該特別な遊技状態にならない大当たりとして「通常当たり」がある。
【００３４】
図１に示すように、本パチンコ機１は、木枠１１と、当該木枠１１に対して開閉可能に装着された前扉１２とを備え構成されている。前扉１２の前面には、透明ガラス板１３を有するガラス枠１４が開閉可能に装着され、前扉１２の前面下方部分には、同じく硬質プラスチックで一体的に形成された皿ユニット２０が開閉可能に装着されている。
【００３５】
ガラス枠１４の上部には、高輝度の発光ダイオードを有する演出用照明部４１と、スピーカを有する演出用放音部４２ａ、４２ｂとが配設されている。また、ガラス枠１４の上方左隅部には、同じく高輝度の発光ダイオードを有し、例えばガラス枠１４の開放エラー等を光で報知するための報知用照明部４３が配設されている。
【００３６】
なお、木枠１１内には、前扉１２を木枠１１側へ閉めることで自動的に施錠し、且つ、ガラス枠１４を前扉１２側へ閉めることでも施錠する不図示の施錠装置が設けられ、ガラス枠１４の前面右方部に形成されている鍵穴１５に所定の鍵を挿入して開錠操作をすることにより、これらを開放することができるようになっている。
【００３７】
皿ユニット２０には、賞球または貸球として供給される遊技球を一時的に貯留するための球受け部２１が一体的に形成されている。球受け部２１の右方内壁には賞球払出口２２が形成され、当該賞球払出口２２を通して後述する賞球払出装置５３からの賞球または貸球が球受け部２１へ払い出される。
【００３８】
また、皿ユニット２０の右側には、遊技球を遊技盤面部１６へ向けて打ち出すための発射ハンドル３０が配置されている。すなわち、発射ハンドル３０は、内蔵するバネによって左回転方向に常時付勢される回動操作部３０１を有し、当該バネの付勢力に抗して回動操作部３０１が右回転方向に操作されると、球発射装置５５を作動して回動操作部３０１の回動角度に応じた打撃力で遊技球が打ち出されるようになっている。
【００３９】
また、皿ユニット２０の下方部には、本パチンコ機１の遊技に係る案内を音声出力するためのスピーカを有する案内用放音部２５が配設されている。
【００４０】
また、皿ユニット２０の中央には、球受け部２１上の遊技球を球発射装置５５付近から皿ユニット２０底部の球排出口２３を通して下方へ排出させる球抜きボタン２４ａと、球受け部２１上の遊技球を賞球払出口２２付近から球排出口２３を通して排出させる球抜きボタン２４ｂが設けられている。
【００４１】
前扉１２に設けられている遊技盤面部１６には、落下する遊技球を衝突させてその方向を偶発的に変更する釘が複数打設されている。また、遊技盤面部１６には、入賞口に遊技球が入ることで入賞し、同時に乱数抽選を起動させるチャッカー１８、及び遊技球が通過することで乱数抽選を起動させるパスゲート等が適宜の位置に複数配置されている。また、開閉式の入賞口を有するアタッカー１９が下方位置に配置されている。アタッカー１９は、大当たり等の入賞が確定すると、一定時間又は一定数の遊技球が入球するまで開放すると共に、開放時に遊技球が入ると通常よりも多くの賞球を払い出すので、入賞の確率を遊技者に有利に変動させることができる。
【００４２】
遊技盤面部１６の略中央には矩形の表示窓４４が形成された演出図柄表示部が配置され、遊技盤面部１６の裏側に液晶ユニット５８が表示窓４４に面して装着されている。これにより、表示窓４４を通して、液晶ユニット５８が表示する演出図柄映像（例えば大当たり抽選の様子や当選結果を演出するような動画像）を遊技者が目視できるようになっている。
【００４３】
次に、図２を参照し、本パチンコ機１の背面側の構造を説明する。本パチンコ機１の木枠１１中央には、ＣＰＵ（またはマイコン）を実装しパチンコ機１の全体動作を集中制御する主制御基板５１が配置されている。主制御基板５１の上方には、液晶ユニット５８等の映像表示装置が配置されている。また、液晶ユニット５８の左方には、サブ制御基板５２が配置されている。サブ制御基板５２は、液晶ユニット５８に対して映像表示の制御を行う映像表示制御部や、上述した演出用照明部４１及び演出用放音部４２ａ、４２ｂに光または音による演出を行わせる制御を行う照明及び音響制御部を搭載している。
【００４４】
木枠１１の上部には、遊技島に設備される図示しない玉補給樋から賞球用として補給される遊技球を一時的に受ける賞球タンク５４が配置されている。木枠１１の中央部右方には、賞球タンク５４に貯留されている遊技球を入賞に応じて皿ユニット２０の球受け部２１へ払い出す賞球払出装置５３が設けられている。
【００４５】
木枠１１の下部には、払出制御基板５６、球発射装置５５、及び電源ユニット５７がそれぞれ配置されている。
【００４６】
払出制御基板５６は、チャッカー１７、１８またはアタッカー１９へ遊技球が入球し、または遊技者によって遊技球の貸し出し操作がされたとき、賞球払出装置５３を作動して所定数の賞球または貸球を払い出す制御を行う。球発射装置５５は、発射ハンドル３０の回動操作に応じて、球受け部２１に貯留されている遊技球を一球づつ遊技盤面部１６へ打ち出す装置である。電源ユニット５７は、主制御基板５１等の各種制御基板、及び球発射装置５５等の各種内蔵機器（装置）へ配電する配電回路が形成されており、本パチンコ機１の動作に必要な電力を各所に供給する。
【００４７】
次に、本パチンコ機１に取り付けられている発射ハンドル３０の構造を説明する。なお、図３は、発射ハンドル３０の外観構造を表す平面図、図４は、図３に示すＡ−Ａ線で切断した、発射ハンドル３０の内部構造を表す部分断面図、図５は、図４に示す矢印位置Ｂから見た、前カバー３０３が取り外された状態の発射ハンドル３０の内部構造を表す正面図、図６は、図４に示す矢印位置Ｃから見た、回動操作部３０１が取り外された状態の発射ハンドル３０の内部構造を表す正面図である。
【００４８】
これらの図を参照し、発射ハンドル３０は、遊技者によって回動操作される回動操作部３０１と、支持部材３０２と、前カバー３０３等の部材が組み立てられてユニット化されたものであり、支持部材３０２に形成されている取付け部３０２ｂを介してパチンコ機１の皿ユニット２０に装着される。
【００４９】
支持部材３０２は、略半球形状の収容体であるケース部３０２ａと、パチンコ機１の皿ユニット２０に当該発射ハンドル３０のユニットを装着するための取付け部３０２ｂとを備え、これらが一体的に形成されている。
【００５０】
支持部材３０２のケース部３０２ａの外周部分には、球貸しスイッチ３１２と、返却スイッチ３１３と、図柄短縮スイッチ３１４が配列されている。また、各機能スイッチ３１２、３１３、３１４に隣接する一方側には、遊技の進行状況に応じて各スイッチの操作が有効か無効かを示すランプである報知ランプ３１２ａ、３１３ｂ、３１４ｂがそれぞれ配置されている。また、各スイッチ３１２、３１３、３１４に隣接する他方側には、「球貸」、「返却」、「短縮」等の文字が印字された各スイッチの操作機能の内容を遊技者に容易に認識させるための機能標識部が設けられている。また、この機能標識部は文字のみに限らず、スイッチの機能内容について識別力を有する記号、図柄、またはこれらを組み合わせて表記されるものであってもよい。
【００５１】
なお、球貸しスイッチ３１２は、押圧操作されることで、例えばパチンコ機１に隣接して設けられるＣＲ玉貸装置から所定数の遊技球を皿ユニット２０へ払い出すための操作スイッチであり、また、返却スイッチ３１３は、上記ＣＲ玉貸装置に装填されているＣＲカードを排出させるための操作スイッチである。また、図柄短縮スイッチ３１４は、演出図柄表示部による演出図柄の演出時間を短縮するための操作スイッチである。
【００５２】
また、同じくケース部３０２ａの外周であって上記各スイッチ３１２、３１３、３１４から左方向へ約９０度位相をずらした位置に、単発スイッチ３１１が配置されている。なお、単発スイッチ３１１は、発射ハンドル３０による連続発射を一時的に停止させるための操作スイッチである。単発スイッチ３１１に隣接してケース部３０２ａの外周部分には、遊技の進行に応じて単発スイッチ３１１の操作が有効か無効かを示す報知ランプ３１１ａが配置されている。
【００５３】
図４に示すように、ケース部３０２ａ内壁の中心軸位置には、歯車３０５の軸部を受ける軸受部３０２ｅが形成されている。また、前カバー３０３の接続柱部３０３ｂ先端と接続する接続筒部３０２ｃと、バネ３０４の一端を止めるための支柱部３０２ｄとが、ケース部３０２ａ内壁から前カバー３０３側へ延びて形成されている。なお、接続筒部３０２ｃの内部は、前カバー３０３とネジ止めする小ネジを収容するため空洞となっている。
【００５４】
また、支持部材３０２のケース部３０２ａには、可変抵抗器３０７（ポテンショメータ）が取り付けられている。可変抵抗器３０７の軸には歯車３０６が固着され、回動操作部３０１と連動する歯車３０５と歯合している。
【００５５】
前カバー３０３は、略半球形状の蓋体であり、その内壁には回動操作部３０１の軸部３０１ｃを受ける軸受部３０３ａが形成され、また、支持部材３０２と接続するための接続柱部３０３ｂが、支持部材３０２側の上記接続筒部３０２ｃと対応する位置にそれぞれ形成されている。
【００５６】
図５に示すように、回動操作部３０１は、指掛け用の突起部を複数有する円筒部３０１ａと、円筒部３０１ａの内側を塞ぐ円盤部３０１ｂと、円盤部３０１ｂ中心に設けられる軸部３０１ｃとを備え、これらが一体的に形成されている。
【００５７】
また、円盤部３０１ｂには、支持部材３０２の接続筒部３０２ｃまたは支柱部３０２ｄを通すための円弧状の孔３０１ｄ、３０１ｅと、上記歯車３０５の側面に形成されている突起部を遊嵌させる遊嵌孔３０１ｆが軸部３０１ｃに隣接して形成されている。
【００５８】
すなわち、支持部材３０２と前カバー３０３とは、回動操作部３０１の円筒部３０１ａを嵌合して挟み、接続筒部３０２ｃ及び接続柱部３０３ｂの先端同士を接続筒部３０２ｃ側から挿入する小ネジでネジ止め固着される。これにより、回動操作部３０１は、その軸部３０１ｃが前カバー３０３の軸受部３０３ａに軸支されると共に、その円筒部３０１ａの両縁部分が支持部材３０２及び前カバー３０３の周縁部分によって摺動可能に支持されることで、支持部材３０２及び前カバー３０３に対して回動可能に取り付けられる。
【００５９】
回動操作部３０１の軸部３０１ｃには、ねじりコイルバネであるバネ３０４が巻回されている。そして、バネ３０４の一端が支持部材３０２の支柱部３０２ｄに小ネジで固定され、バネ３０４の他端が回動操作部３０１の円盤部３０１ｂに係止されることで、回動操作部３０１は常時左回転方向に付勢されている。
【００６０】
図５に示されるように、発射ハンドル３０は、非操作状態においては、円盤部３０１ｂの孔３０１ｄ、３０１ｅの左回転方向始端に支持部材３０２の接続筒部３０２ｃが当接し、発射ハンドル３０の回動操作部３０１が最大量回動操作されると、孔３０１ｄ、３０１ｅの左回転方向終端に上記接続筒部３０２ｃが当接する。すなわち、孔３０１ｄ、３０１ｅの長さ寸法により、回動操作部３０１の回動操作範囲が制限されている。
【００６１】
かかる構成の発射ハンドル３０は、回動操作部３０１がバネ３０４の付勢力に抗しながら右回転方向に操作されると、円盤部３０１ｂに遊嵌する歯車３０５が連動し、これに歯合する歯車３０６を介して可変抵抗器３０７の軸部を回転するように構成されている。これにより、例えば可変抵抗器３０７に一定の電流を供給すれば、回動操作部３０１の回動操作角度に応じた電圧信号を可変抵抗器３０７から得ることができるように構成されている。
【００６２】
次に、図７に示す制御ブロック図を参照し、パチンコ機１の本発明に係る制御システムを説明する。
【００６３】
パチンコ機１本体内に設けられている主制御基板５１には、演出図柄表示部６２が接続され、遊技の進行に応じて演出図柄映像を表示させる。また、主制御基板５１には払出制御基板５６が接続され、主制御基板５１は、入賞口へ遊技球が入球した際に払出制御基板５６を制御して賞球払出装置５３を作動し、入賞の種類に応じた数の遊技球（賞球）を払い出させる制御を行う。
【００６４】
また、払出制御基板５６にはＣＲ制御部６０が接続されている。ＣＲ制御部６０は、パチンコ機１に隣接して設けられているＣＲ玉貸装置６１に遊技者がＣＲカードを装填し球貸しスイッチ３１２が操作されると、払出制御基板５６を制御して所定数の遊技球（貸球）を賞球払出装置５３によって払い出させる。
【００６５】
図柄短縮スイッチ３１４は、ゲート回路７１を介して主制御基板５１へ操作信号を送出する。すなわち、スイッチ出力制御部７０が例えば高電圧レベルのゲート信号Ｔ１を出力することによってゲート回路７１が開状態（スルー）に制御されているとき、図柄短縮スイッチ３１４による操作が有効となり、この時点で図柄短縮スイッチ３１４が操作されると、主制御基板５１は演出図柄表示部６２よる演出図柄表示の演出時間を短縮させる。
【００６６】
球貸しスイッチ３１２及び返却スイッチ３１３は、ゲート回路７２、７３を介してＣＲ制御部６０へ操作信号を送出する。すなわち、スイッチ出力制御部７０がゲート回路７２を開状態（スルー）に制御にしている時点で球貸しスイッチ３１２が操作されると、ＣＲ制御部６０は払出制御基板５６を制御して所定数の遊技球を貸し出させる。また、スイッチ出力制御部７０がゲート回路７３を開状態（スルー）に制御にしている時に返却スイッチ３１３が操作されると、ＣＲ制御部６０はＣＲ玉貸装置６１に対してＣＲカードを排出（返却）させる。
【００６７】
なお、上記球貸しスイッチ３１２及び返却スイッチ３１３は、ゲート回路７２、７３を介して払出制御基板５６へ操作信号を送出するものであってもよい。
【００６８】
また、単発スイッチ３１１は、ゲート回路７４を介して球発射装置５５へ操作信号を送出する。すなわち、スイッチ出力制御部７０がゲート回路７４を開状態（スルー）に制御にしている時、単発スイッチ３１１が操作されると、球発射装置５５は遊技球の連続打撃発射を停止させる。
【００６９】
主制御基板５１は、パチンコ機１の現在進行中の遊技状態、すなわち、通常遊技状態か、通常当たり状態か、大当たり（確変当たり）状態か、又は待機状態か等、何れの遊技状態にあるのかを示す情報をスイッチ出力制御部７０へ常時送出している。また、主制御基板５１は、演出図柄表示部６２の動作状態、及びＣＲ玉貸装置６１の動作状態（例えばＣＲカードの装填状態、ＣＲカードが保有するポイント数）等、各種装置の動作に係る情報もスイッチ出力制御部７０へ送出している。
【００７０】
スイッチ出力制御部７０は、主制御基板５１が示す当該パチンコ機１の現在の遊技状態に応じて、図柄短縮スイッチ３１４、球貸しスイッチ３１２、返却スイッチ３１３、及び単発スイッチ３１１の各スイッチ操作を有効又は無効にするゲート信号Ｔ１〜Ｔ４を各ゲート回路７１〜７４へ送出する。
【００７１】
例えば、当該パチンコ機１が大当たり中にあるときには、スイッチ出力制御部７０は、ゲート回路７１、７３、７４を開状態（スルー）にする高電圧レベルのゲート信号Ｔ１、Ｔ３、Ｔ４を送出することで、図柄短縮スイッチ３１４と、ＣＲカード返却スイッチ３１３と、単発スイッチ３１１の操作を有効にする。同時に、スイッチ出力制御部７０は、ゲート回路７２に対しては閉状態（禁止）にする低電圧レベルのゲート信号Ｔ２を送出する。これにより、パチンコ機１が大当たり中にあっては、球貸しスイッチ３１２の操作を無効にし、仮に遊技者が誤って球貸しスイッチ３１２を操作したとしても賞球払出装置５３による遊技球の貸し出し動作は行われないようになっている。
【００７２】
また、スイッチ出力制御部７０は、上記各ゲート回路７１〜７４に対して送出する各ゲート信号Ｔ１〜Ｔ４を分岐して各スイッチに隣接する報知ランプ３１１ａ、３１２ａ、３１３ａ、３１４ａを駆動する。例えば、上述した大当たり時において、図柄短縮スイッチ３１４と、返却スイッチ３１３と、単発スイッチ３１１の操作が有効である場合に、これらの各ゲート回路７１、７３、７４を制御する高電圧レベルのゲート信号Ｔ１、Ｔ３、Ｔ４が各スイッチに隣接する報知ランプ３１４ａ、３１３ａ、３１１ａに供給され、これら報知ランプを点灯させることで当該報知ランプに隣接するスイッチの操作が有効であることを遊技者に報知する。同時に、球貸しスイッチ３１２に隣接する報知ランプ３１２ａは、低電圧レベルのゲート信号が供給され、このためランプが消灯し操作が無効であることを報知する。
【００７３】
なお、各報知ランプ３１１ａ〜３１４ａは、例えば赤と青のそれぞれの色を発光する発光素子の組から構成されるものでもよい。例えば、図柄短縮スイッチ３１４と、返却スイッチ３１３と、単発スイッチ３１１の操作を有効にする高電圧レベルのゲート信号Ｔ１、Ｔ３、Ｔ４がスイッチ出力制御部７０から発行され、同時に球貸しスイッチ３１２の操作を無効にする低電圧レベルのゲート信号Ｔ２が発行されたとき、報知ランプ３１４ａ、３１３ａ、３１１ａは、青色の発光素子が点灯することで隣接するスイッチの操作が有効である旨を報知し、且つ報知ランプ３１２ａは、赤色の発光素子が点灯して球貸しスイッチ３１２の操作が無効であることを報知する。
【００７４】
かかる構成の発射ハンドル３０を備えるパチンコ機１によれば、発射ハンドル３０に各種機能スイッチ３１１〜３１４を設けたので、遊技者は、発射ハンドル３０を操作しながら所望の遊技操作を行うことができる。
【００７５】
また、発射ハンドル３０に配設される各種機能スイッチに隣接して、スイッチ操作の有効又は無効を遊技の進行に応じて報知する報知ランプ３１１ａ〜３１４ａを配置したので、遊技者は使用可能な機能スイッチを容易に認識できる。このため、遊技操作に係る利便性が向上すると共に各機能スイッチの誤操作が効果的に防止される。
【００７６】
また、遊技の進行に応じて各機能スイッチ３１１〜３１４の操作を無効にするゲート回路７１〜７４を設けたので、仮に遊技者が遊技の進行とは矛盾するスイッチ操作を行ったとしても当該スイッチ操作は機能しないこととなる。このため、遊技者の誤操作によって遊技進行の混乱を招くことはなく、遊技の興趣を失うこともない。
【００７７】
なお、本発明に係る機能スイッチ及び報知ランプの配置位置は、例えば図８に示すように、発射ハンドル３０の前カバー３０３に設けられるものであってもよい。このように、遊技操作に係る各種機能スイッチを発射ハンドル３０の適宜の位置に設けることで、パチンコ機１の操作性を向上させることができる。
【００７８】
また、上述した実施の形態においては、発射ハンドル３０に設けられ遊技進行に応じてその機能が制限される機能スイッチとして、単発スイッチ３１１、球貸しスイッチ３１２、返却スイッチ３１３、図柄短縮スイッチ３１４をそれぞれ例示列挙して説明したが、実際に発明を実施する上では、上記各機能スイッチの全てについてそのスイッチ機能を有効又は無効に制限しまた報知ランプが設けられることを要しない。例えば、単発スイッチ３１１については、上述したゲート回路７４を介さずに球発射装置５５へ操作信号を送出させるようにして、遊技の進行に制限されず独立して機能する機能スイッチとして発射ハンドル３０に設けてもよい。また、上記機能スイッチ３１１〜３１４以外の遊技操作を行うための機能スイッチを発射ハンドル３０に設け、遊技の進行に応じてそのスイッチ機能を制限し且つその有効又は無効を報知する報知ランプを設けてもよいことは言うまでもない。
【図面の簡単な説明】
【００７９】
【図１】図１（ａ）は、本発明の一実施態様によるパチンコ機の外部構造を表す正面図であり、図１（ｂ）はその側面図である。
【図２】図２は、本発明の一実施態様によるパチンコ機の構造を表す背面図である。
【図３】図３は、本発明の一実施態様による発射ハンドルの外観構造を表す平面図である。
【図４】図４は、図３に示すＡ−Ａ線で切断した、発射ハンドルの内部構造を表す部分断面図である。
【図５】図５は、図４に示す矢印位置Ｂから見た、前カバーが取り外された状態の発射ハンドルの内部構造を表す正面図である。
【図６】図６は、図４に示す矢印位置Ｃから見た、回動操作部が取り外された状態の発射ハンドルの内部構造を表す正面図である。
【図７】図７は、本発明の一実施態様によるパチンコ機の制御システムを表すブロック図である。
【図８】図８は、本発明の他の実施態様による発射ハンドルの外観構造を表す正面図である。
【符号の説明】
【００８０】
１…パチンコ機、  １１…木枠、  １２…前扉、
１３…透明ガラス板、  １４…ガラス枠、  １５…鍵穴、
１６…遊技盤面部、  １７、１８…チャッカー、
１９…アタッカー、  ２０…皿ユニット、２１…球受け部、
２２…賞球払出口、  ２３…球排出口、
３０…発射ハンドル、  ４１…演出用照明部、
４２ａ、４２ｂ…演出用放音部、
４３…報知用照明部、  ４４…表示窓、
５１…主制御基板、  ５２…サブ制御基板、  ５３…賞球払出装置、
５４…賞球タンク、  ５５…球発射装置、  ５６…払出制御基板、
５７…電源ユニット、  ５８…液晶ユニット、
６０…ＣＲ制御部、  ６１…ＣＲ玉貸装置、  ６２…演出図柄表示部、
７０…スイッチ出力制御部、  ７１、７２、７３、７４…ゲート回路、
３０１…回動操作部、  ３０１ａ…円筒部、  ３０１ｂ…円盤部、
３０１ｃ…軸部、  ３０１ｄ…孔、  ３０１ｅ…孔、３０１ｆ…遊嵌孔、
３０２…支持部材、  ３０２ａ…ケース部、  ３０２ｂ…取付け部、
３０２ｃ…接続筒部、  ３０２ｄ…支柱部、３０２ｅ…軸受部、
３０３…前カバー、  ３０３ａ…軸受部、  ３０３ｂ…接続柱部、
３０４…バネ、  ３０５…歯車、  ３０６…歯車、  ３０７…可変抵抗器、
３１１…単発スイッチ、  ３１１ａ…報知ランプ、
３１２…球貸しスイッチ、  ３１２ａ…報知ランプ
３１３…返却スイッチ、  ３１３ａ…報知ランプ、
３１４…図柄短縮スイッチ、  ３１４ａ…報知ランプ
【図１】
2005296446.tif 000003
【図２】
2005296446.tif 000004
【図３】
2005296446.tif 000005
【図４】
2005296446.tif 000006
【図５】
2005296446.tif 000007
【図６】
2005296446.tif 000008
【図７】
2005296446.tif 000009
【図８】
2005296446.tif 000010